(57)【要約】【課題】複数の検査会社で検査される検体または複数の分析会社で分析される検体の検査分析情報を一括して把握する。【解決手段】端末装置５１は、検査に関する情報である検査情報を送信する。サーバ４１は、端末装置５１から送信されてくる検査情報を受信する。サーバ４１は、検査依頼会社１１ごとに、その検査依頼会社１１に属する店舗１４の検体６１の検査情報に基づいて生成されるバーチャル検査室情報を管理する。サーバ４１は、端末装置３１からのバーチャル検査室情報の送信の要求に応じて、バーチャル検査室情報を端末装置３１に送信する。端末装置３１は、バーチャル検査室情報の送信を要求し、その要求に応じてサーバ４１から送信されてくるバーチャル検査室情報に基づいてバーチャル検査室を表示させる。本発明は、例えば、検査管理システムに適用することができる。【選択図】図２
2009300168.tif 000002
【特許請求の範囲】
【請求項１】
検査または分析に関する情報である検査分析情報を送信する複数の送信装置と、
前記送信装置から送信されてくる前記検査分析情報を管理する管理装置と、
前記検査分析情報の表示を制御する表示制御装置と
を備え、
複数の前記送信装置のそれぞれは、
前記検査分析情報を送信する検査分析情報送信手段
を有し、
前記管理装置は、
前記検査分析情報送信手段から送信されてくる前記検査分析情報を受信する受信手段と、
検体を分類するグループごとに、そのグループに属する検体の前記検査分析情報をグループ検査分析情報として管理する管理手段と、
前記表示制御装置からの前記グループ検査分析情報の送信の要求に応じて、そのグループ検査分析情報を前記表示制御装置に送信するグループ検査分析情報送信手段と
を有し、
前記表示制御装置は、
前記表示制御装置に対応するグループの前記グループ検査分析情報の送信を、前記管理装置に要求する要求送信手段と、
前記要求送信手段による要求に応じて前記グループ検査分析情報送信手段により送信されてくる前記グループ検査分析情報を表示させる表示制御手段と
を有する
検査分析管理システム。
【請求項２】
前記要求送信手段は、前記グループ検査分析情報の送信を前記管理装置に要求するとともに、前記表示制御装置の固有情報を前記管理装置に送信し、
前記グループ検査分析情報送信手段は、前記表示制御装置の固有情報が予め登録されているものである場合、前記グループ検査分析情報を前記表示制御装置に送信する
請求項１に記載の検査分析管理システム。
【請求項３】
前記表示制御装置は、
ユーザの固有情報の入力を受け付けるユーザ情報受付手段
をさらに有し、
前記要求送信手段は、前記グループ検査分析情報の送信を前記管理装置に要求するとともに、前記ユーザの固有情報を前記管理装置に送信し、
前記グループ検査分析情報送信手段は、前記ユーザの固有情報が予め登録されているものである場合、前記グループ検査分析情報を前記表示制御装置に送信する
請求項１または２のいずれかに記載の検査分析管理システム。
【請求項４】
前記要求送信手段は、前記表示制御装置に対応するグループ以外のグループに属する検体である他検体の固有情報の入力に応じて、前記他検体の前記検査分析情報の送信を前記管理装置に要求するとともに、前記他検体の固有情報を前記管理装置に送信し、
前記グループ検査分析情報送信手段は、前記他検体の固有情報に基づいて、その他検体の検査分析情報を前記グループ検査分析情報から検出し、その検査分析情報を前記表示制御装置に送信し、
前記表示制御手段は、前記要求送信手段による要求に応じて前記グループ検査分析情報送信手段により送信されてくる前記他検体の前記検査分析情報を表示させる
請求項１乃至３のいずれかに記載の検査分析管理システム。
【請求項５】
前記要求送信手段は、ユーザからの指令に応じて、前記他検体の検査分析情報に対する管理の変更を前記管理装置に要求し、
前記管理手段は、前記要求送信手段による要求に応じて、前記他検体の検査分析情報を、前記表示制御装置に対応するグループの前記グループ検体情報に含める
請求項４に記載の検査分析管理システム。
【請求項６】
複数の送信装置から送信されてくる検査または分析に関する情報である検査分析情報を受信する受信手段と、
検体を分類するグループごとに、そのグループに属する検体の前記検査分析情報をグループ検査分析情報として管理する管理手段と、
前記グループ検査分析情報を表示させる表示制御装置からの前記グループ検査分析情報の送信の要求に応じて、そのグループ検査分析情報を前記表示制御装置に送信するグループ検査分析情報送信手段と
を備える管理装置。
【請求項７】
検査または分析に関する情報である検査分析情報を管理する管理装置が、
複数の送信装置から送信されてくる前記検査分析情報を受信する受信ステップと、
検体を分類するグループごとに、そのグループに属する検体の前記検査分析情報をグループ検査分析情報として管理する管理ステップと、
前記グループ検査分析情報を表示させる表示制御装置からの前記グループ検査分析情報の送信の要求に応じて、そのグループ検査分析情報を前記表示制御装置に送信するグループ検査分析情報送信ステップと
を含む管理方法。
【請求項８】
複数の送信装置から送信されてくる検査または分析に関する情報である検査分析情報を受信する受信手段と、
検体を分類するグループごとに、そのグループに属する検体の前記検査分析情報をグループ検査分析情報として管理する管理手段と、
前記グループ検査分析情報を表示させる表示制御装置からの前記グループ検査分析情報の送信の要求に応じて、そのグループ検査分析情報を前記表示制御装置に送信するグループ検査分析情報送信手段と
を備える管理装置として、コンピュータを機能させるためのプログラム。
【請求項９】
ユーザの固有情報の入力を受け付けるユーザ情報受付手段と、
自分自身である表示制御装置に対応するグループに属する検体の検査または分析に関する情報であるグループ検査分析情報の送信を、前記グループ検査分析情報を管理する管理装置に要求するとともに、前記表示制御装置の固有情報と前記ユーザの固有情報を前記管理装置に送信する要求送信手段と、
前記要求送信手段による要求に応じて前記管理装置から送信されてくる前記グループ検査分析情報を表示させる表示制御手段と
を備える前記表示制御装置。
【請求項１０】
検査または分析に関する情報である検査分析情報を表示させる表示制御装置が、
ユーザの固有情報の入力を受け付けるユーザ情報受付ステップと、
前記表示制御装置に対応するグループに属する検体の前記検査分析情報であるグループ検査分析情報の送信を、前記グループ検査分析情報を管理する管理装置に要求するとともに、前記表示制御装置の固有情報と前記ユーザの固有情報を前記管理装置に送信する送信要求ステップと、
前記送信要求ステップの処理による要求に応じて前記管理装置から送信されてくる前記グループ検査分析情報を表示させる表示制御ステップと
を含む表示制御方法。
【請求項１１】
ユーザの固有情報の入力を受け付けるユーザ情報受付手段と、
表示制御装置に対応するグループに属する検体の検査または分析に関する情報であるグループ検査分析情報の送信を、前記グループ検査分析情報を管理する管理装置に要求するとともに、前記表示制御装置の固有情報と前記ユーザの固有情報を前記管理装置に送信する要求送信手段と、
前記要求送信手段による要求に応じて前記管理装置から送信されてくる前記グループ検査分析情報を表示させる表示制御手段と
を備える前記表示制御装置として、コンピュータを機能させるためのプログラム。
【発明の詳細な説明】
【技術分野】
【０００１】
本発明は、検査分析管理システム、管理装置および管理方法、表示制御装置および表示制御方法、並びにプログラムに関し、特に、複数の検査会社で検査される検体または複数の分析会社で分析される検体の検査分析情報を一括して把握することができるようにした検査分析管理システム、管理装置および管理方法、表示制御装置および表示制御方法、並びにプログラムに関する。
【背景技術】
【０００２】
近年、消費者の食品に対する品質管理や衛生管理への関心が高まっており、食品を扱う会社は、食品に対する理化学検査や食品を扱う従業員に対する微生物検査等の強化を求められている。
【０００３】
食品を扱う会社等が、このような検査を行う場合、検査を請け負う会社（以下、検査請負会社という）に検査を依頼し、その検査請負会社が所定の検査会社に依頼する。そして、検査会社は、検査を依頼した食品を扱う会社等（以下、検査依頼会社という）に検査容器を送付し、その検査容器に入れられて検査依頼会社から送付されてくる検体を、各種の方法（例えば、特許文献１参照）で検査する。そして、検査請負会社は、検査会社から報告された検査結果を検査依頼会社に通知する。
【０００４】
ところで、検査依頼会社が外食産業等である場合、チェーン店の各店舗は比較的広い地域にわたって存在しているため、全ての店舗が１社の検査会社と検査容器をやり取りすると、検査会社から遠く離れた店舗では、やり取りに時間がかかる。従って、各店舗に最寄りの検査会社に検査を依頼し、迅速に検査を行いたいという要望があった。
【０００５】
【特許文献１】特開２００８−１０７３３９号公報
【発明の開示】
【発明が解決しようとする課題】
【０００６】
しかしながら、検査請負会社が複数の検査会社に検査を依頼すると、検査の進捗状況や検査結果などの検査に関する情報である検査情報が検査会社ごとに報告されるため、検査依頼会社は、全ての検査情報を一括して把握することが困難になる。
【０００７】
本発明は、このような状況に鑑みてなされたものであり、複数の検査会社で検査される検体または複数の分析会社で分析される検体の検査分析情報を一括して把握することができるようにするものである。
【課題を解決するための手段】
【０００８】
本発明の第１の側面は、検査または分析に関する情報である検査分析情報を送信する複数の送信装置と、前記送信装置から送信されてくる前記検査分析情報を管理する管理装置と、前記検査分析情報の表示を制御する表示制御装置とを備え、複数の前記送信装置のそれぞれは、前記検査分析情報を送信する検査分析情報送信手段を有し、前記管理装置は、前記検査分析情報送信手段から送信されてくる前記検査分析情報を受信する受信手段と、検体を分類するグループごとに、そのグループに属する検体の前記検査分析情報をグループ検査分析情報として管理する管理手段と、前記表示制御装置からの前記グループ検査分析情報の送信の要求に応じて、そのグループ検査分析情報を前記表示制御装置に送信するグループ検査分析情報送信手段とを有し、前記表示制御装置は、前記表示制御装置に対応するグループの前記グループ検査分析情報の送信を、前記管理装置に要求する要求送信手段と、前記要求送信手段による要求に応じて前記グループ検査分析情報送信手段により送信されてくる前記グループ検査分析情報を表示させる表示制御手段とを有する検査分析管理システムである。
【０００９】
本発明の第２の側面は、複数の送信装置から送信されてくる検査または分析に関する情報である検査分析情報を受信する受信手段と、検体を分類するグループごとに、そのグループに属する検体の前記検査分析情報をグループ検査分析情報として管理する管理手段と、前記グループ検査分析情報を表示させる表示制御装置からの前記グループ検査分析情報の送信の要求に応じて、そのグループ検査分析情報を前記表示制御装置に送信するグループ検査分析情報送信手段とを備える管理装置または管理装置としてコンピュータを機能させるためのプログラムである。
【００１０】
本発明の第２の側面は、検査または分析に関する情報である検査分析情報を管理する管理装置が、複数の送信装置から送信されてくる前記検査分析情報を受信する受信ステップと、検体を分類するグループごとに、そのグループに属する検体の前記検査分析情報をグループ検査分析情報として管理する管理ステップと、前記グループ検査分析情報を表示させる表示制御装置からの前記グループ検査分析情報の送信の要求に応じて、そのグループ検査分析情報を前記表示制御装置に送信するグループ検査分析情報送信ステップとを含む管理方法である。
【００１１】
本発明の第３の側面は、ユーザの固有情報の入力を受け付けるユーザ情報受付手段と、自分自身である表示制御装置に対応するグループに属する検体の検査または分析に関する情報であるグループ検査分析情報の送信を、前記グループ検査分析情報を管理する管理装置に要求するとともに、前記表示制御装置の固有情報と前記ユーザの固有情報を前記管理装置に送信する要求送信手段と、前記要求送信手段による要求に応じて前記管理装置から送信されてくる前記グループ検査分析情報を表示させる表示制御手段とを備える前記表示制御装置または前記表示制御装置としてコンピュータを機能させるためのプログラムである。
【００１２】
本発明の第３の側面は、検査または分析に関する情報である検査分析情報を表示させる表示制御装置が、ユーザの固有情報の入力を受け付けるユーザ情報受付ステップと、前記表示制御装置に対応するグループに属する検体の前記検査分析情報であるグループ検査分析情報の送信を、前記グループ検査分析情報を管理する管理装置に要求するとともに、前記表示制御装置の固有情報と前記ユーザの固有情報を前記管理装置に送信する送信要求ステップと、前記送信要求ステップの処理による要求に応じて前記管理装置から送信されてくる前記グループ検査分析情報を表示させる表示制御ステップとを含む表示制御方法である。
【００１３】
本発明の第１の側面においては、複数の送信装置のそれぞれが検査または分析に関する情報である検査分析情報を送信し、管理装置が、その検査分析情報を受信し、検体を分類するグループごとに、そのグループに属する検体の検査分析情報をグループ検査分析情報として管理し、表示制御装置からのグループ検査分析情報の送信の要求に応じて、そのグループ検査分析情報を表示制御装置に送信し、表示制御装置は、表示制御装置に対応するグループのグループ検査分析情報の送信を、管理装置に要求し、その要求に応じて送信されてくるグループ検査分析情報を表示させる。
【００１４】
本発明の第２の側面においては、複数の送信装置から送信されてくる検査または分析に関する情報である検査分析情報が受信され、検体を分類するグループごとに、そのグループに属する検体の検査分析情報がグループ検査分析情報として管理され、グループ検査分析情報を表示させる表示制御装置からのグループ検査分析情報の送信の要求に応じて、そのグループ検査分析情報が表示制御装置に送信される。
【００１５】
本発明の第３の側面においては、ユーザの固有情報の入力が受け付けられ、検査または分析に関する情報である検査分析情報を表示させる表示制御装置に対応するグループに属する検体の検査分析情報であるグループ検査分析情報の送信が、グループ検査分析情報を管理する管理装置に要求されるとともに、表示制御装置の固有情報とユーザの固有情報が管理装置に送信され、その要求に応じて管理装置から送信されてくるグループ検査分析情報が表示される。
【発明の効果】
【００１６】
以上のように、本発明によれば、複数の検査会社で検査される検体または複数の分析会社で分析される検体の検査分析情報を一括して把握することができる。
【発明を実施するための最良の形態】
【００１７】
まず、図１を参照して、本発明を適用した検査管理システムの一実施の形態により実現される検査の流れについて説明する。
【００１８】
なお、以下において、検査依頼会社１１−１および１１−２を個々に区別する必要がない場合、単に検査依頼会社１１という。また、検査会社１３−１乃至１３−３と店舗１４−１乃至１４−５についても同様とする。
【００１９】
図１の検査管理システム１０において、外食産業などのチェーン展開をしている検査依頼会社１１は、検査依頼会社１１のチェーン店の店舗１４における検体の検査を検査請負会社１２に依頼する。
【００２０】
検査請負会社１２は、検査依頼会社１１からの依頼を受けて、店舗１４における検体の検査を、契約を締結している検査会社１３に依頼する。検査会社１３−１乃至１３−１のいずれか１つ（例えば、店舗１４の最寄りの検査会社１３）は、検査請負会社１２からの検査の依頼に応じて、検査容器を店舗１４に送付する。なお、検査容器の送付は、他の会社に委託されるようにしてもよい。
【００２１】
店舗１４は、この検査容器を取得すると、検体を採取して検査容器に入れ、検査会社１３−１乃至１３−３のいずれか（例えば、最寄りの検査会社１３）に送付するか、直接持ち込む。検査会社１３は、検査請負会社１２から依頼された店舗１４からの検体を取得した場合、その検体の検査を行い、検査結果を検査請負会社１２に通知する。検査請負会社１２は、検査会社１３から報告された検体の検査結果を検査依頼会社１１ごとに管理し、その検査会社１１に通知する。
【００２２】
以上のように、検査請負会社１２は、複数の検査会社１３−１乃至１３−３に検査の依頼を行うので、検査依頼会社１１は、検査請負会社１２に検査を依頼することにより、検査会社１３−１乃至１３−３のいずれにおいても店舗１４の検体を検査することができる。従って、店舗１４は、例えば最寄りの検査会社１３に検体を提出することにより、迅速に検査を行うことができる。
【００２３】
また、検査依頼会社１１が検査請負会社１２に検査を依頼した場合、検査請負会社１２は、検査依頼会社１１に検査費用としての代金を請求する。検査依頼会社１１は、この請求に対応する支払いを行う。そして、検査請負会社１２は、検査結果を報告してきた検査会社１３に検査費用として所定の代金を支払う。検査請負会社１２は、検査依頼会社１１に対する請求額と、検査会社１３に対する支払額との差額を利益とする。なお、以下においては、説明を簡単にするために、利益についての説明は省略する。
【００２４】
図２は、検査管理システム１０の構成例を示すブロック図である。
【００２５】
図２の検査依頼会社１１は、端末装置３１（表示制御装置）を管理する。端末装置３１は、ユーザからの指令に応じて、端末装置３１の固有情報としての端末ＩＤと、ユーザにより入力されたユーザの固有情報としてのユーザＩＤとを、検査請負会社１２が管理するサーバ４１に送信することにより、サーバ４１へのアクセスを要求する。
【００２６】
なお、端末ＩＤとしては、例えば、端末装置３１のMAC（Media Access Control address）アドレスに基づいて生成された番号が用いられ、検査依頼会社１１が検査請負会社１２との取引を開始する際にサーバ４１に登録される。また、ユーザＩＤとしては、例えば、検査依頼会社１１が検査請負会社１２との取引を開始する際に、検査請負会社１２が検査依頼会社１１に発行したＩＣカードに登録されている番号（例えば、フェリカコード）が用いられる。
【００２７】
また、端末装置３１は、検査依頼会社１１のバーチャル検査室を表示させるための情報であるバーチャル検査室情報の送信を要求し、その要求に応じてサーバ４１から送信されてくるバーチャル検査室情報に基づいて、バーチャル検査室（後述する図４や図５）を表示させる。なお、バーチャル検査室とは、随時更新される検査情報をリアルタイムで表示可能なGUI画面である。
【００２８】
さらに、端末装置３１は、バーチャル検査室においてユーザから入力された、検体の固有情報と検査内容のリスト（以下、検体リストという）、検査スケジュール、検査を依頼する旨を表す通知（以下、検査依頼通知という）等をサーバ４１に送信する。また、端末装置３１は、検査情報に含まれる見積りに基づいて、依頼が行われた検査の見積りに対応する代金を、検査請負会社１２に支払うための支払い処理を行う。
【００２９】
検査請負会社１２は、サーバ４１（管理装置）と端末装置４２を管理する。サーバ４１は、端末装置３１から送信されてくる端末ＩＤとユーザＩＤに基づいて、端末装置３１からのアクセスを許可または拒否する。また、サーバ４１は、検査依頼会社１１(グループ)ごとに、その検査依頼会社１１に属する店舗１４の検体の検査情報を、検査依頼会社１１の検査情報（グループ検査情報）として管理する。
【００３０】
具体的には、サーバ４１は、端末装置３１から送信されてくる検体リスト、検査スケジュール、検査依頼通知等を、その端末装置３１を管理する検査依頼会社１１の検査情報とする。また、サーバ４１は、端末装置４２から送信されてくる、検体リストに対応する見積りを、その検体リストに対応する検査依頼会社１１の検査情報とする。さらに、サーバ４１は、端末装置５１から送信されてくる、検査の進捗状況を表す検査進捗情報、検査結果を表す検査結果情報等を、その検査を依頼した検査依頼会社１１の検査情報とする。
【００３１】
そして、サーバ４１は、これらの検査情報に基づいて、検査依頼会社１１のバーチャル検査室情報を生成し、記録する。また、サーバ４１は、端末装置３１からの送信要求に応じて、その端末装置３１を管理する検査依頼会社１１のバーチャル検査室情報を読み出し、端末装置３１に送信する。
【００３２】
サーバ４１は、端末装置３１からの検査依頼通知に対応して端末装置４２から送信されてくる検査依頼通知を、検査請負会社１２と契約を締結している全ての検査会社１３が管理する端末装置５１に送信する。
【００３３】
端末装置４２は、サーバ４１から検査情報を取得し、必要に応じて表示する。端末装置４２は、ユーザからの指令に応じて、表示されている検体リストに対応する見積りを作成し、サーバ４１に送信する。また、端末装置４２は、ユーザからの指令に応じて、表示されている検査依頼通知に対応する検査依頼通知をサーバ４１に送信する。また、端末装置４２は、検査情報に基づいて、検査費用としての代金を検査が行われた検査会社１３に支払うための支払い処理を行う。
【００３４】
検査会社１３は、端末装置５１（送信装置）と検査装置５２を管理する。端末装置５１は、サーバ４１から検査依頼通知を受信すると、その検査依頼通知に対応する検体リストをサーバ４１から取得する。このとき、この検体リストに基づいて、検体を採取する店舗１４に検査容器が送付される。また、端末装置５１は、ユーザからの指令に応じて、検体に対する検査の検査進捗情報、検査結果情報等をサーバ４１に送信する。
【００３５】
検査装置５２は、店舗１４から取得された検査容器内の検体に対して微生物検査や理化学検査を行う。ここで行われる微生物検査としては、例えば、腸内細菌、ノロウィルス、レジオネラ属菌などの検査、食品衛生検査、拭取り検査、サニテーション検査などがある。また、理化学検査としては、例えば、栄養成分分析、異物混入検査、アレルゲン、残留農薬、アスベストなどの検査、土地や地下水の分析などがある。
【００３６】
以上のように、検査管理システム１０では、サーバ４１が、検査会社１３から送信されてくる検査情報を検査依頼会社１１ごとに管理し、端末装置３１が、その検査情報に基づくバーチャル検査室を表示させるので、端末装置３１のユーザは、複数の検査会社１３で検査される検査依頼会社１１の検体の検査情報を一括して把握することができる。
【００３７】
図３は、図２の端末装置３１の詳細構成例を示すブロック図である。
【００３８】
図３の端末装置３１において、CPU（Central Processing Unit）８１は、ROM（Read Only Memory）８２、または記憶部８８に記憶されているプログラムにしたがって各種の処理を実行する。RAM（Random Access Memory）８３には、CPU８１が実行するプログラムやデータなどが適宜記憶される。これらのCPU８１、ROM８２、およびRAM８３は、バス８４により相互に接続されている。
【００３９】
CPU８１にはまた、バス８４を介して入出力インターフェース８５が接続されている。入出力インターフェース８５には、キーボード、マウス、マイクロホンなどよりなる入力部８６、ディスプレイ、スピーカなどよりなる出力部８７が接続されている。CPU８１は、入力部８６から入力される指令に対応して各種の処理を実行する。そして、CPU８１は、処理の結果を出力部８７に出力する。
【００４０】
入出力インターフェース８５にはまた、例えばハードディスクからなる記憶部８８が接続されている。記憶部８８は、CPU８１が実行するプログラムや各種のデータを記憶する。なお、このプログラムは、通信部９１により外部の装置から取得されるようにしてもよい。
【００４１】
入出力インターフェース８５にはさらに、リーダライタ８９が接続されている。リーダライタ８９は、非接触型のＩＣカード９０が近接したとき、そのＩＣカード９０に対してカード情報を読み書きする。このＩＣカード９０は、検査請負会社１２から発行されたものであり、カード情報としてユーザＩＤを記憶している。ユーザは、サーバ４１へのアクセスを要求するとき、ＩＣカード９０をリーダライタ８９に近接させる。これにより、ユーザＩＤがサーバ４１に送信される。
【００４２】
また、入出力インターフェース８５には、インターネットやローカルエリアネットワークなどのネットワークを介して外部の装置と通信する通信部９１とドライブ９２が接続されている。ドライブ９２は、磁気ディスク、光ディスク、光磁気ディスク、或いは半導体メモリなどのリムーバブルメディア９３が装着されたとき、それらを駆動し、そこに記録されているプログラムやデータなどを取得する。取得されたプログラムやデータは、必要に応じて記憶部８８に転送され、記憶される。
【００４３】
なお、図２のサーバ４１、端末装置４２、および端末装置５１の構成も、図３に示す端末装置３１の構成と基本的に同様であるので、その説明については省略する。但し、サーバ４１、端末装置４２、および端末装置５１においては、リーダライタ８９が設けられる必要はない。また、以下においては、図３に示す構成例は、サーバ４１、端末装置４２、および端末装置５１の構成を説明する場合にも適用する。
【００４４】
次に、図４および図５は、バーチャル検査室のトップ画面の例を示している。
【００４５】
ユーザが、端末装置３１の入力部８６を操作してバーチャル検査室の表示を指令すると、まず、図４のトップ画面１００が表示される。このトップ画面１００は、微生物検査室ボタン１０１、理化学検査室ボタン１０２、健康管理室ボタン１０３、衛生管理室ボタン１０４、運用管理室ボタン１０５、および相談室ボタン１０６により構成されている。
【００４６】
微生物検査室ボタン１０１は、バーチャル検査室として、今月の微生物検査の検査進捗情報や検査結果情報を表示させるための画面である微生物検査室を表示させるときに、操作される。理化学検査室ボタン１０２は、バーチャル検査室として、今月の理化学検査の検査進捗情報や検査結果情報を表示させるための画面である理化学検査室を表示させるときに、操作される。
【００４７】
健康管理室ボタン１０３は、バーチャル検査室として、微生物検査の検査結果情報の履歴を表示させるための画面である健康管理室を表示させるときに、操作される。衛生管理室ボタン１０４は、バーチャル検査室として、理化学検査の検査結果情報の履歴を表示させるための画面である衛生管理室を表示させるときに、操作される。
【００４８】
運用管理室ボタン１０５は、バーチャル検査室として、検体リスト、検査スケジュール等の検査請負会社１２との取引に関する情報を入力するための画面である運用管理室を表示させるときに、操作される。相談室ボタン１０６は、バーチャル検査室として、検査に関する相談を入力するための画面である相談室を表示させるときに、操作される。
【００４９】
トップ画面１００において、ユーザが、端末装置３１の入力部８６を操作して、トップ画面１００に表示されるカーソルを各ボタンに移動させると、図５に示すように、各ボタンに対応するバーチャル検査室で提供される機能を表す機能情報が表示される。
【００５０】
なお、図５では、説明の便宜上、全てのボタンに同時にカーソルが移動された場合を示しているが、実際には、カーソルは１つであり、いずれか１つのボタンにカーソルが移動される。
【００５１】
図５において、トップ画面１００には、微生物検査室ボタン１０１に対応して微生物検査室機能表示部１１１が表示される。図５の例では、微生物検査室機能表示部１１１には、機能情報として、微生物検査室で表示される今月の微生物検査の検査進捗情報および実際の検査スケジュールが簡易的に表示されるとともに、検査結果情報の項目「検査登録書」、「報告書」、および「検査所見」が表示されている。
【００５２】
また、微生物検査室では、検体の量が少ない等の検査の不備を通知することが可能になっており、その通知の有りを表す「問い合わせあり」または通知の無しを表す「不備なし」も、微生物検査室機能表示部１１１に表示される。
【００５３】
トップ画面１００にはまた、理化学検査室ボタン１０２に対応して理化学検査室機能表示部１１２が表示される。図５の例では、理化学検査室機能表示部１１２には、機能情報として、理化学検査室で表示される今月の理化学検査の検査進捗情報および実際の検査スケジュールが簡易的に表示されるとともに、検査結果情報の項目「途中報告」、「検査登録書」、「報告書」、および「検査所見」が表示される。
【００５４】
理化学検査室でも、微生物検査室と同様に検査の不備を通知することが可能になっており、その通知の有無を表す「問い合わせあり」または「不備なし」も理化学検査室機能表示部１１２に表示される。
【００５５】
また、トップ画面１００には、健康管理室ボタン１０３に対応して健康管理室機能表示部１１３が表示される。図５の例では、健康管理室機能表示部１１３には、機能情報として、健康管理室で表示される微生物検査の検査結果情報の履歴を表す情報の項目「各店舗集計」、「個人履歴」、および「陽性者（過去３年間）」が表示される。
【００５６】
なお、項目「各店舗集計」の情報は、店舗１４ごとの検査結果情報の履歴の一覧や検査結果の集計結果を表す情報である。また、項目「個人履歴」の情報（以下、個人履歴情報という）は、微生物検査の検体としての人物ごとの検査結果情報の履歴を表す情報である。個人履歴情報は、検体の固有情報としての検体ＩＤを入力することにより表示させることができる。この検体ＩＤとしては、例えば、検体としての人物の携帯番号などを用いることができる。
【００５７】
また、項目「陽性者（過去３年間）」の情報は、過去３年間に微生物検査の検査結果が陽性であった検体としての人物のリストである。なお、これらの微生物検査の検査結果情報の履歴を表す情報は、健康管理室において、検査結果の基準値と重ね合わせてグラフで表示されることも可能になっている。これにより、ユーザは、簡単に検査結果の良し悪しを判断することができる。
【００５８】
トップ画面１００にはまた、衛生管理室ボタン１０４に対応して衛生管理室機能表示部１１４が表示される。図５の例では、衛生管理室機能表示部１１４には、機能情報として、衛生管理室で表示される理化学検査の検査結果情報の履歴を表す情報の項目「経過報告」、「結果」、および「一覧表」が表示される。
【００５９】
なお、項目「経過報告」の情報とは、検体の種類ごとの理化学検査の結果の履歴の総評を表す情報である。また、項目「結果」の情報とは、検体の種類ごとの理化学検査の結果の履歴を表す情報であり、衛生管理室では、この情報と検査結果の基準値を重ね合わせてグラフで表示させることができる。また、項目「一覧表」の情報とは、全検体の理化学検査の結果の履歴を表す情報を一覧化したものである。
【００６０】
また、トップ画面１００には、運用管理室ボタン１０５に対応して運用管理室機能表示部１１５が表示される。図５の例では、運用管理室機能表示部１１５には、機能情報として、「見積り・検査依頼」、「基本取引情報登録・変更」、「検査スケジュール登録・変更」、「検体リスト登録・変更」、および「経理」が表示されている。即ち、運用管理室では、見積りや検査の依頼、検査請負会社１２との基本的な取引の情報である基本取引情報の登録および変更、検査スケジュールの登録および変更、検体リストの登録および変更、並びに、検査費用の請求や支払いの管理を行うことができる。
【００６１】
トップ画面１００にはまた、相談室ボタン１０６に対応して相談室機能表示部１１６が表示される。図５の例では、相談室機能表示部１１６には、機能情報として、「検査相談」、「情報収集(電脳羅針盤)」、および「アナウンス」が表示されている。即ち、相談室では、検査そのものや検査結果に関する相談、検査に関する情報の収集、および検査に関するアナウンス（例えばＦＡＱ）を行うことができる。
【００６２】
端末装置３１のユーザは、以上のように表示された微生物検査室機能表示部１１１、理化学検査室機能表示部１１２、健康管理室機能表示部１１３、衛生管理室機能表示部１１４、運用管理室機能表示部１１５、または相談室機能表示部１１６を見て、所望の機能を有するバーチャル検査室のボタンとして、微生物検査室ボタン１０１、理化学検査室ボタン１０２、健康管理室ボタン１０３、衛生管理室ボタン１０４、または運用管理室ボタン１０５を選択する。これにより、選択されたバーチャル検査室が表示され、端末装置３１のユーザは、所望の処理を行うことができる。
【００６３】
次に、図６を参照して、端末装置３１のCPU８１が所定のプログラムを実行することにより実現するバーチャル検査室処理部の機能的な構成例について説明する。
【００６４】
図６のバーチャル検査室処理部１２０は、ユーザＩＤ受付部１２１（ユーザ情報受付手段）、送信部１２２（要求送信手段）、受信部１２３、および表示制御部１２４（表示制御手段）により構成され、バーチャル検査室において各種の処理を行う。
【００６５】
ユーザＩＤ受付部１２１は、端末装置３１の入力部８６から入力されるバーチャル検査室の表示指令に応じて、ユーザＩＤの入力を受け付ける。具体的には、ユーザＩＤ受付部１２１は、端末装置３１のリーダライタ８９を制御し、リーダライタ８９に近接するＩＣカード９０からユーザＩＤを読み出す。
【００６６】
送信部１２２は、端末装置３１の入力部８６から入力されるバーチャル検査室の表示指令に応じて、端末装置３１の通信部９１を制御し、ユーザＩＤ受付部１２１により入力が受け付けられたユーザＩＤと、端末装置３１の記憶部８８に予め記憶されている端末ＩＤとをサーバ４１に送信して、サーバ４１へのアクセスを要求する。
【００６７】
また、送信部１２２は、端末装置３１の入力部８６から入力される指令に応じて、検査依頼会社１１のバーチャル検査室情報の送信を、端末装置３１の通信部９１を介してサーバ４１に要求する。さらに、送信部１２２は、端末装置３１の入力部８６から入力される指令に応じて、バーチャル検査室においてユーザにより入力された検査依頼通知、検体リスト、検査スケジュール、検体ＩＤ等の情報を、端末装置３１の通信部９１を介してサーバ４１に送信する。
【００６８】
受信部１２３は、送信部１２２からの送信要求に応じてサーバ４１から送信されてくるバーチャル検査室情報を、端末装置３１の通信部９１を介して受信する。また、受信部１２３は、サーバ４１から送信されてくるアクセスの不許可を表す不許可通知を、端末装置３１の通信部９１を介して受信する。
【００６９】
表示制御部１２４は、受信部１２３により受信されたバーチャル検査室情報に基づいて、バーチャル検査室を端末装置３１の出力部８７に表示させる。また、表示制御部１２４は、受信部１２３により受信された不許可通知に応じて、アクセスが許可されなかった旨を表すメッセージを端末装置３１の出力部８７に表示させる。
【００７０】
次に、図７を参照して、サーバ４１のCPU８１が所定のプログラムを実行することにより実現する検査情報管理部の機能的な構成例について説明する。
【００７１】
図７の検査情報管理部１３０は、微生物検査室管理部１３１（管理手段）、理化学検査室管理部１３２、健康管理室管理部１３３、衛生管理室管理部１３４、運用管理室管理部１３５、相談室管理部１３６、機能情報管理部１３７、アクセス許可部１３８、送信部１３９（グループ検査情報送信手段）、および受信部１４０（受信手段）により構成され、検査情報を管理する。
【００７２】
微生物検査室管理部１３１は、検査情報に基づいて、微生物検査室を表示させるための微生物検査室情報を検査依頼会社１１ごとに管理する。具体的には、微生物検査室管理部１３１は、受信部１４０により検査会社１３の端末装置５１から受信された今月の微生物検査の検査進捗情報、検査結果情報、および、実際の検査スケジュールを表す情報に基づいて、微生物検査室情報を検査依頼会社１１ごとに生成する。そして、微生物検査室管理部１３１は、微生物検査室情報をサーバ４１の記憶部８８に記憶させる。
【００７３】
理化学検査室管理部１３２は、検査情報に基づいて、理化学検査室を表示させるための理化学検査室情報を検査依頼会社１１ごとに管理する。具体的には、理化学検査室管理部１３２は、受信部１４０により端末装置５１から受信された今月の理化学検査の検査進捗情報、検査結果情報、および、実際の検査スケジュールを表す情報に基づいて、理化学検査室情報を検査依頼会社１１ごとに生成する。そして、理化学検査室管理部１３２は、理化学検査室情報をサーバ４１の記憶部８８に記憶させる。
【００７４】
健康管理室管理部１３３は、検査情報に基づいて、健康管理室を表示させるための健康管理室情報を検査依頼会社１１ごとに管理する。具体的には、健康管理室管理部１３３は、受信部１４０により端末装置５１から受信された微生物検査の全ての検査結果情報に基づいて、健康管理室情報を検査依頼会社１１ごとに生成する。そして、健康管理室管理部１３３は、健康管理室情報をサーバ４１の記憶部８８に記憶させる。
【００７５】
また、健康管理室管理部１３３は、受信部１４０により端末装置３１から受信された検体ＩＤに基づいて、全ての検査依頼会社１１の健康管理室情報に含まれている個人履歴情報から、その検体ＩＤに対応する個人履歴情報を検出する。
【００７６】
衛生管理室管理部１３４は、検査情報に基づいて、衛生管理室を表示させるための衛生管理室情報を検査依頼会社１１ごとに管理する。具体的には、衛生管理室管理部１３４は、受信部１４０により端末装置５１から受信された理化学検査の全ての衛生管理室情報に基づいて、衛生管理室情報を検査依頼会社１１ごとに生成する。そして、衛生管理室管理部１３４は、衛生管理室情報をサーバ４１の記憶部８８に記憶させる。
【００７７】
運用管理室管理部１３５は、検査情報に基づいて、運用管理室を表示させるための運用管理室情報を検査依頼会社１１ごとに管理する。具体的には、運用管理室管理部１３５は、受信部１４０により検査依頼会社１１の端末装置３１から受信された検体リスト、基本取引情報、検査スケジュール、および検査依頼通知と、検査請負会社１２の端末装置４２から受信された見積りとに基づいて、運用管理室情報を検査依頼会社１１ごとに生成する。そして、運用管理室管理部１３５は、運用管理室情報をサーバ４１の記憶部８８に記憶させる。
【００７８】
相談室管理部１３６は、検査情報に基づいて、相談室を表示させるための相談室情報を検査依頼会社１１ごとに管理する。具体的には、相談室管理部１３６は、受信部１４０により端末装置３１から受信された検査に関する相談を表す情報などに基づいて、相談室情報を検査依頼会社１１ごとに生成する。そして、相談室管理部１３６は、相談室情報をサーバ４１の記憶部８８に記憶させる。
【００７９】
機能情報管理部１３７は、検査情報に基づいて、機能情報を検査依頼会社１１ごとに管理する。具体的には、機能情報管理部１３７は、記憶部８８に予め記憶されている検査情報の項目などの情報、微生物検査室情報、および理化学検査室情報に基づいて機能情報を生成し、サーバ４１の記憶部８８に記憶させる。
【００８０】
アクセス許可部１３８は、受信部１４０により端末装置３１から受信されたユーザＩＤと端末ＩＤに基づいて、その端末装置３１からのアクセスを許可するかどうかを判定する。そして、アクセス許可部１３８は、その判定結果を送信部１３９に供給する。
【００８１】
送信部１３９は、アクセスを許可するという判定結果に応じて、記憶部８８に予め記憶されているバーチャル検査室のトップ画面を表示させるための情報を、バーチャル検査室情報として、サーバ４１の通信部９１を介して端末装置３１に送信する。一方、送信部１３９は、アクセスを許可しないという判定結果に応じて、サーバ４１の通信部９１を介して不許可通知を端末装置３１に送信する。
【００８２】
また、送信部１３９は、受信部１４０により端末装置３１から受信されたバーチャル検査室情報の送信要求に応じて、記憶部８８に記憶されている微生物検査室情報、理化学検査室情報、健康管理室情報、衛生管理室情報、運用管理室情報、相談室情報、または機能情報を、バーチャル検査室情報として、サーバ４１の通信部９１を介して端末装置３１に送信する。さらに、送信部１３９は、健康管理室管理部１３３により検出された個人履歴情報を、サーバ４１の通信部９１を介して端末装置３１に送信する。
【００８３】
受信部１４０は、サーバ４１の通信部９１を介して、検査依頼会社１１の端末装置３１、検査請負会社１２の端末装置４２、または検査会社１３の端末装置５１から送信されてくる各種の情報を受信する。
【００８４】
次に、図８のフローチャートを参照して、検査管理システム１０によるバーチャル検査室表示処理について説明する。
【００８５】
ステップＳ１１において、検査依頼会社１１の端末装置３１の送信部１２２（図６）は、ユーザからのバーチャル検査室の表示指令に応じて、端末ＩＤとユーザＩＤを送信するとともに、バーチャル検査室のトップ画面のバーチャル検査室情報の送信を要求する。
【００８６】
具体的には、ユーザＩＤ受付部１２１は、端末装置３１の入力部８６から入力されるバーチャル検査室の表示指令に応じて、リーダライタ８９を制御し、リーダライタ８９に近接するＩＣカード９０からユーザＩＤを読み出す。そして、送信部１２２は、そのユーザＩＤと、記憶部８８に予め記憶されている端末ＩＤとをサーバ４１に送信するとともに、バーチャル検査室のトップ画面のバーチャル検査室情報の送信を要求する。
【００８７】
ステップＳ２１において、検査請負会社１２のサーバ４１の受信部１４０（図７）は、端末装置３１から送信されてくるユーザＩＤ、端末ＩＤ、およびバーチャル検査室のトップ画面のバーチャル検査室情報の送信要求を受信する。ステップＳ２２において、アクセス許可部１３８は、登録されている端末装置３１からのアクセス要求であるかどうか、即ち、受信された端末ＩＤが予めサーバ４１の記憶部８８に登録されている端末ＩＤであるかどうかを判定する。
【００８８】
ステップＳ２２で登録されている端末装置３１からのアクセス要求ではないと判定された場合、アクセス許可部１３８は、アクセスを許可しないという判定結果を送信部１３９に供給する。そして、送信部１３９は、アクセス不許可通知を端末装置３１に送信する。
【００８９】
ステップＳ１２において、端末装置３１の受信部１２３は、サーバ４１から送信されてくるアクセス不許可通知を受信する。そして、表示制御部１２４は、受信部１２３により受信された不許可通知に応じて、アクセスが許可されなかった旨を表すメッセージを、端末装置３１の出力部８７に表示させる。
【００９０】
一方、ステップＳ２２で登録されている端末装置３１からのアクセス要求であると判定された場合、ステップＳ２３において、アクセス許可部１３８は、登録されているユーザからのアクセス要求であるかどうか、即ち、ユーザＩＤが予めサーバ４１の記憶部８８に登録されているユーザＩＤであるかどうかを判定する。
【００９１】
ステップＳ２３で登録されているユーザからのアクセス要求ではないと判定された場合、アクセス許可部１３８は、アクセスを許可しないという判定結果を送信部１３９に供給する。そして、送信部１３９は、アクセス不許可通知を端末装置３１に送信する。
【００９２】
ステップＳ１３において、端末装置３１の受信部１２３は、ステップＳ１２の処理と同様に、サーバ４１から送信されてくるアクセス不許可通知を受信する。そして、アクセスが許可されなかった旨を表すメッセージが、端末装置３１の出力部８７に表示される。
【００９３】
一方、ステップＳ２３で登録されているユーザからのアクセス要求であると判定された場合、アクセス許可部１３８は、アクセスを許可するという判定結果を送信部１３９に供給する。そして、ステップＳ２４において、送信部１３９は、記憶部８８に予め記憶されているバーチャル検査室のトップ画面を表示させるための情報を、バーチャル検査室情報として端末装置３１に送信する。
【００９４】
ステップＳ１４において、端末装置３１の受信部１２３は、サーバ４１から送信されてくるバーチャル検査室情報としてのバーチャル検査室のトップ画面を表示させるための情報を受信する。表示制御部１２４は、この情報に基づいて、トップ画面１００（図４）を端末装置３１の出力部８７に表示させる。ステップＳ１５において、送信部１２２は、端末装置３１の入力部８６からの表示変更の指令に応じて、バーチャル検査室情報の送信をサーバ４１に要求する。
【００９５】
ステップＳ２５において、サーバ４１の受信部１４０は、端末装置３１から送信されてくるバーチャル検査室情報の送信要求を受信する。ステップＳ２６において、送信部１３９は、この送信要求に応じて、記憶部８８に記憶されている微生物検査室情報、理化学検査室情報、健康管理室情報、衛生管理室情報、運用管理室情報、相談室情報、または機能情報を、バーチャル検査室情報として端末装置３１に送信する。
【００９６】
ステップＳ１６において、端末装置３１の受信部１２３は、サーバ４１から送信されてくるバーチャル検査室情報を受信する。表示制御部１２４は、このバーチャル検査室情報に基づいて、微生物検査室、理化学検査室、健康管理室、衛生管理室、運用管理室、または相談室を端末装置３１の出力部８７に表示させたり、図５に示したように、微生物検査室機能表示部１１１、理化学検査室機能表示部１１２、健康管理室機能表示部１１３、衛生管理室機能表示部１１４、運用管理室機能表示部１１５、または相談室機能表示部１１６を端末装置３１の出力部８７に表示させたりする。
【００９７】
なお、ステップＳ１５およびＳ１６並びにステップＳ２５およびＳ２６の処理は、端末装置３１のユーザが表示の変更を要求するたびに行われる。
【００９８】
以上のように、サーバ４１は、端末ＩＤとユーザＩＤに基づいてアクセスを許可するかどうかを判定するので、検査情報の漏洩を防止することができる。
【００９９】
次に、図９のフローチャートを参照して、検査管理システム１０による微生物検査処理について説明する。
【０１００】
図９のステップＳ４１において、検査依頼会社１１の端末装置３１の送信部１２２（図６）は、運用管理室の表示中における端末装置３１の入力部８６からの指令に応じて、検体リストと検査スケジュールをサーバ４１に送信する。
【０１０１】
ステップＳ７１において、検査請負会社１２のサーバ４１の受信部１４０（図７）は、端末装置３１から送信されてくる検体リストと検査スケジュールを受信する。ステップＳ７２において、運用管理室管理部１３５は、その検体リストと検査スケジュールに基づいて、運用管理室情報を更新する。ステップＳ７３において、サーバ４１の送信部１３９は、送信部１２２から送信されてきた検体リストと検査スケジュールを、検査請負会社１２の端末装置４２に送信する。
【０１０２】
ステップＳ５１において、端末装置４２の通信部９１（図３）は、サーバ４１から送信されてくる検体リストと検査スケジュールを受信する。そして、端末装置４２のCPU８１は、この検体リストと検査スケジュールを、端末装置４２の出力部８７に表示させる。ユーザは、端末装置４２の出力部８７に表示されている検体リストと検査スケジュールを参照し、端末装置４２の入力部８６を操作して見積りを入力する。そして、ステップＳ５２において、端末装置４２の通信部９１は、端末装置４２のCPU８１の制御により、ユーザにより入力された見積りをサーバ４１に送信する。
【０１０３】
ステップＳ７４において、サーバ４１の受信部１４０は、端末装置４２から送信されてくる見積りを受信する。ステップＳ７５において、運用管理室管理部１３５は、その見積りに基づいて運用管理室情報を更新する。ステップＳ７６において、送信部１３９は、更新された運用管理室情報を端末装置３１に送信する。
【０１０４】
ステップＳ４２において、端末装置３１の受信部１２３は、サーバ４１から送信されてくる運用管理室情報をバーチャル検査室情報として受信する。表示制御部１２４は、その運用管理室情報に基づいて運用管理室の表示を更新する。ユーザは、運用管理室に新たに表示される見積りを参照して、検査を依頼するかどうかを判断する。ユーザは、検査を依頼する場合、端末装置３１の入力部８６を操作して、検査の依頼を指令する。そして、ステップＳ４３において、送信部１２２は、この指令に応じて、検査依頼通知をサーバ４１に送信する。
【０１０５】
ステップＳ７７において、サーバ４１の受信部１４０は、端末装置３１から送信されてくる検査依頼通知を受信する。ステップＳ７８において、運用管理室管理部１３５は、この検査依頼通知に基づいて運用管理室情報を更新する。ステップＳ７９において、送信部１３９は、受信部１４０により受信された検査依頼通知を端末装置４２に送信する。
【０１０６】
ステップＳ５３において、端末装置４２の通信部９１は、サーバ４１から送信されてくる検査依頼通知を受信し、CPU８１に供給する。そして、CPU８１は、この検査依頼通知に基づいて、検査依頼会社１１から検査が依頼された旨のメッセージを端末装置４２の出力部８７に表示させる。ユーザは、このメッセージを確認し、端末装置４２の入力部８６を操作して了承を指令する。ステップＳ５４において、端末装置４２のCPU８１は、この指令に応じて、通信部９１を介して検査依頼通知をサーバ４１に送信する。
【０１０７】
ステップＳ８０において、サーバ４１の受信部１４０は、端末装置４２から送信されてくる検査依頼通知を受信する。ステップＳ８１において、サーバ４１の送信部１３９は、ステップＳ８０で受信された検査依頼通知と、ステップＳ７１で受信された検体リストおよび検査スケジュールとを、検査会社１３の端末装置５１に送信する。
【０１０８】
ステップＳ６１において、端末装置５１の通信部９１は、サーバ４１から送信されてくる検査依頼通知、検体リスト、および検査スケジュールを受信する。端末装置５１のCPU８１は、この検査依頼通知、検体リスト、および検査スケジュールを端末装置５１の出力部８７に表示させる。検査会社１３は、表示されている検査依頼通知、検体リスト、および検査スケジュールに基づいて、検体ＩＤを付加した検査容器を、検体を採取する店舗１４に送付する。
【０１０９】
店舗１４は、検査容器を取得すると、検査容器に検体を入れ、その検査容器を所望の検査会社１３に送付するか、持ち込む。検査会社１３は、検査容器内の検体を、検査装置５２を用いて微生物検査する。また、検査会社１３は、端末装置５１の入力部８６を操作し、実際の検査スケジュール、検査進捗情報、および検査結果情報を検体ＩＤと対応付けて入力する。
【０１１０】
そして、ステップＳ６２において、端末装置５１のCPU８１（検査情報送信手段）は、検体ＩＤが対応付けられた実際の検査スケジュール、検査進捗情報、および検査結果情報を、通信部９１を介してサーバ４１に送信する。
【０１１１】
ステップＳ８２において、サーバ４１の受信部１４０は、端末装置５１から送信されてくる、検体ＩＤが対応付けられた実際の検査スケジュール、検査進捗情報、および検査結果情報を受信する。ステップＳ８３において、微生物検査室管理部１３１は、受信された実際の検査スケジュール、検査進捗情報、および検査結果情報に基づいて、これらに対応付けられている検体ＩＤに対応する微生物検査室情報を更新する。
【０１１２】
ステップＳ８４において、健康管理室管理部１３３は、ステップＳ８２により受信された実際の検査スケジュール、検査進捗情報、および検査結果情報に基づいて、これらに対応付けられている検体ＩＤに対応する健康管理室情報を更新する。
【０１１３】
なお、図９では、微生物検査を行う場合について説明したが、理化学検査を行う場合にも同様の処理が行われる。
【０１１４】
次に、図１０のフローチャートを参照して、検査管理システム１０における個人履歴情報移動処理について説明する。
【０１１５】
検査依頼会社１１は、例えば、以前他の検査依頼会社１１に勤務しており、そこで微生物検査を行った人物を従業員として採用した場合、その従業員から検体ＩＤを聞き、その検体ＩＤを健康管理室において入力する。
【０１１６】
この場合、ステップＳ１０１において、検査依頼会社１１の端末装置３１の送信部１２２(図６)は、健康管理室の表示中における端末装置３１の入力部８６からの指令に応じて、個人履歴情報の送信要求と検体ＩＤを、検査請負会社１２のサーバ４１に送信する。
【０１１７】
ステップＳ１１１において、サーバ４１の受信部１４０（図７）は、端末装置３１から送信されてくる個人履歴情報の送信要求と検体ＩＤを受信する。ステップＳ１１２において、健康管理室管理部１３３は、受信された検体ＩＤを用いて、全ての検査依頼会社１１の健康管理室情報から、その検体ＩＤに対応する個人履歴情報を検出する。ステップＳ１１３において、送信部１３９は、検出された個人履歴情報を端末装置３１に送信する。
【０１１８】
ステップＳ１０２において、端末装置３１の受信部１２３は、サーバ４１から送信されてくる個人履歴情報を受信する。表示制御部１２４は、その個人履歴情報に基づいて、健康管理室の表示を更新する。これにより、検査依頼会社１１は、新たに採用された従業員の個人履歴情報を知ることができる。
【０１１９】
ここで、いま、この従業員は検査依頼会社１１の従業員であるので、検査依頼会社１１は、この従業員の個人履歴情報を自分の従業員の個人履歴情報として管理したい。このような場合、検査依頼会社１１において、端末装置３１のユーザは、入力部８６を操作することにより、個人履歴情報を移動して個人履歴情報の管理を変更することを指令する。そして、ステップＳ１０３において、送信部１２２は、入力部８６からの指令に応じて、移動要求をサーバ４１に送信する。
【０１２０】
ステップＳ１１４において、サーバ４１の受信部１４０は、端末装置３１から送信されてくる移動要求を受信する。ステップＳ１１５において、健康管理室管理部１３３は、この移動要求に応じて、移動要求を送信してきた端末装置３１に対応する検査依頼会社１１の健康管理室情報を更新する。具体的には、健康管理室管理部１３３は、ステップＳ１１２で検出された個人履歴情報を、移動要求を送信してきた端末装置３１に対応する検査依頼会社１１の健康管理室情報に含める。
【０１２１】
以上のように、検査管理システム１０では、検体ＩＤを用いて個人履歴情報を他の検査依頼会社１１の健康管理室情報から移動させることができるので、検査依頼会社１１は、他の検査依頼会社１１において検査請負会社１２を介して微生物検査を行った人物を採用した場合に、その人物に対して重複して微生物検査を行う必要がない。従って、検査依頼会社１１は、従業員の微生物検査の費用を削減することができる。これは、検査依頼会社が従業員の流動の激しい外食産業などである場合において特に大きい効果をもたらす。
【０１２２】
なお、上述した説明では、検査装置５２が微生物検査や理化学検査を行うものとしたが、検査装置５２で行われる検査の種類はこれに限定されない。
【０１２３】
また、本発明は、検査を管理する検査管理システムだけでなく、分析を管理する分析管理システムにも適用することができる。なお、本実施の形態において、検査とは、ある基準に照らして適切や不適切、異常や不正の有無などを調べることをいい、分析とは、物質に含まれている成分の種類や量を化学的または物理的に求めることをいう。
【０１２４】
さらに、上述した説明では、バーチャル検査室において、検査結果情報が表示されるようにしたが、評価結果を表す情報が表示されるようにしてもよい。ここで、評価とは、検査結果や分析結果を基に判断して価値を定めることをいう。
【０１２５】
本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１２６】
また、本明細書において、システムとは、複数の装置により構成される装置全体を表すものである。
【０１２７】
さらに、本発明の実施の形態は、上述した実施の形態に限定されるものではなく、本発明の要旨を逸脱しない範囲において種々の変更が可能である。
【図面の簡単な説明】
【０１２８】
【図１】本発明を適用した検査管理システムの一実施の形態により実現される検査の流れについて説明する図である。
【図２】検査管理システムの構成例を示すブロック図である。
【図３】図２の端末装置の詳細構成例を示すブロック図である。
【図４】バーチャル検査室のトップ画面の例を示す図である。
【図５】バーチャル検査室の他のトップ画面の例を示す図である。
【図６】バーチャル検査室処理部の機能的な構成例を示すブロック図である。
【図７】検査情報管理部の機能的な構成例を示すブロック図である。
【図８】バーチャル検査室表示処理について説明するフローチャートである。
【図９】微生物検査処理について説明するフローチャートである。
【図１０】個人履歴情報移動処理について説明するフローチャートである。
【符号の説明】
【０１２９】
１０  検査管理システム，  ３１  端末装置，  ４１  サーバ，  ５１  端末装置，  ８１  CPU，  １２１  ユーザＩＤ受付部，  １２２  送信部，  １２４  表示制御部，  １３１  微生物検査管理部，  １３２  理化学検査室管理部，  １３３  健康管理室管理部，  １３４  衛生管理室管理部，  １３９  送信部，  １４０  受信部
【図１】
2009300168.tif 000003
【図２】
2009300168.tif 000004
【図３】
2009300168.tif 000005
【図４】
2009300168.tif 000006
【図５】
2009300168.tif 000007
【図６】
2009300168.tif 000008
【図７】
2009300168.tif 000009
【図８】
2009300168.tif 000010
【図９】
2009300168.tif 000011
【図１０】
2009300168.tif 000012